Podtech/llm-jp-corpus-v4-ja_patent huggingface dataset:
【手続補正書】
【提出日】平成30年7月12日(2018.7.12)
【手続補正１】
【補正対象書類名】特許請求の範囲
【補正対象項目名】全文
【補正方法】変更
【補正の内容】
【特許請求の範囲】
【請求項１】
少なくとも第１の物質及び第２の物質を含む検体と相互作用するＸ線放射の異なるエネルギー値に対応する、イメージャによって取得された少なくとも２つの投影画像を受け取る入力ポートと、
前記少なくとも２つの投影画像を、前記検体の前記第１の物質の分布又は前記第２の物質の分布を表す再構成された少なくとも１つの画像に再構成する画像再構成器と
を備える画像処理システムであって、
前記画像再構成器の動作は、レギュラライザ関数を含む正則化付きのオブジェクト関数によって駆動され、
前記レギュラライザ関数は、前記検体の少なくとも一部の中の少なくとも前記第１の物質の所定の量を表す物質パラメータを持つ少なくとも１つの物質項を含む
画像処理システム。
【請求項２】
前記物質項は、前記第１の物質の推定量の前記物質パラメータからの偏差を表す、請求項１に記載の画像処理システム。
【請求項３】
前記画像再構成器は、反復再構成アルゴリズムを実施し、前記第１の物質又は前記第２の物質の推定量は、前記画像再構成器によって、１回又は数回の反復で計算される、請求項２に記載の画像処理システム。
【請求項４】
前記検体の前記少なくとも１つの入力画像が視野の中で取得され、前記レギュラライザ関数の前記物質項が、前記検体の一部だけを表す画像要素に制限される、請求項１乃至３の何れか一項に記載の画像処理システム。
【請求項５】
前記イメージャは、エネルギー分解検出器を有するスペクトルイメージャであり、前記少なくとも１つの入力画像は、前記エネルギー分解検出器において検出された画像信号から得られる、請求項１乃至４の何れか一項に記載の画像処理システム。
【請求項６】
前記イメージャは、異なる電圧で動作可能なＸ線源を含み、前記少なくとも１つの入力画像は、前記イメージャの検出器において検出された前記異なる電圧に対する画像信号から得られる、請求項１乃至５の何れか一項に記載の画像処理システム。
【請求項７】
前記イメージャは、コンピュータ連動断層撮影スキャナ又はＣアームＸ線システムである、請求項１乃至６の何れか一項に記載の画像処理システム。
【請求項８】
前記第１の物質は、前記イメージャの視野の中の前記検体の一部分に限局されている、請求項１乃至７の何れか一項に記載の画像処理システム。
【請求項９】
前記第１の物質又は前記第２の物質は、画像化造影剤である、請求項１乃至８の何れか一項に記載の画像処理システム。
【請求項１０】
造影剤が、前記検体中にある１つ又は複数の薬物溶出非天然体に含まれる、請求項１乃至９の何れか一項に記載の画像処理システム。
【請求項１１】
造影剤が、前記検体中にあるステント構造体に含まれる、請求項１乃至１０の何れか一項に記載の画像処理システム。
【請求項１２】
前記物質パラメータをユーザが指定することを可能にするユーザインタフェースを備える、請求項１乃至１１の何れか一項に記載の画像処理システム。
【請求項１３】
少なくとも第１の物質及び第２の物質を含む検体と相互作用するＸ線放射の異なるエネルギー値に対応する、イメージャによって取得された少なくとも２つの投影画像を受け取るステップと、
前記少なくとも２つの投影画像を、前記検体の前記第１の物質の分布又は前記第２の物質の分布を表す再構成された少なくとも１つの画像に再構成する再構成動作を実行するステップと
を含む画像処理方法であって、
前記再構成動作は、レギュラライザ関数を含む正則化付きのオブジェクト関数によって駆動され、
前記レギュラライザ関数は、前記検体の少なくとも一部の中の少なくとも前記第１の物質の所定の量を表す物質パラメータを持つ少なくとも１つの物質項を含む
画像処理方法。
【請求項１４】
処理ユニットによって実行される場合、請求項１３に記載の画像処理方法のステップを実行する、請求項１乃至１２の何れか一項に記載の画像処理システムを制御するためのコンピュータプログラム。
【請求項１５】
請求項１４に記載のコンピュータプログラムが記憶された、コンピュータ可読媒体。
【手続補正書】
【提出日】平成30年11月13日(2018.11.13)
【手続補正１】
【補正対象書類名】明細書
【補正対象項目名】００１３
【補正方法】変更
【補正の内容】
【００１３】
表Ａ：本発明者らにより生成されたシングルドメイン抗体（ｈｓ２ｄＡｂ）のフレームワーク領域ＦＲ１〜ＦＲ４（ＩＭＧＴ）
【表Ａ】
2018506302.tif 000001
【手続補正２】
【補正対象書類名】明細書
【補正対象項目名】００１４
【補正方法】変更
【補正の内容】
【００１４】
表Ｂ：本発明者らにより生成されたシングルドメイン抗体（ｈｓ２ｄＡｂ）のＣＤＲ−ＩＭＧＴ領域
【表Ｂ】
2018506302.tif 000002
2018506302.tif 000003
【手続補正３】
【補正対象書類名】明細書
【補正対象項目名】００１６
【補正方法】変更
【補正の内容】
【００１６】
表Ｃ：本発明者らにより生成されたシングルドメイン抗体（ｈｓ２ｄＡｂ）の配列
【表Ｃ】
2018506302.tif 000004
2018506302.tif 000005
【手続補正４】
【補正対象書類名】明細書
【補正対象項目名】００５７
【補正方法】変更
【補正の内容】
【００５７】
【表１】
2018506302.tif 000006
2018506302.tif 000007
2018506302.tif 000008
2018506302.tif 000009
【手続補正書】
【提出日】平成30年8月31日(2018.8.31)
【手続補正１】
【補正対象書類名】特許請求の範囲
【補正対象項目名】全文
【補正方法】変更
【補正の内容】
【特許請求の範囲】
【請求項１】
静磁界を生成するように構成される、臨界温度をもつ超電導ワイヤの少なくとも１つのコイル巻線であって、前記少なくとも１つのコイル巻線を前記臨界温度より低い温度にし、その温度に維持するよう構成される極低温冷却装置のコールドヘッドとの熱伝導接触を確立するように構成される、少なくとも１つのコイル巻線と、
或るヘリウム量を流体絶縁の状態で永久的に収容する少なくとも１つの気密コンテナであって、少なくとも１つの動作状態において前記少なくとも１つのコイル巻線から熱エネルギーを受け取るために、前記少なくとも１つのコイル巻線に熱伝導接触する、少なくとも１つの気密コンテナと、
を有する、超電導磁石装置。
【請求項２】
前記少なくとも１つのコイル巻線とは別であり及び臨界温度をもつ少なくとも１つの超電導部材を更に有し、前記少なくとも１つの気密コンテナが、前記少なくとも１つの動作状態において熱エネルギーを受け取るために前記少なくとも１つの超電導部材と熱伝導接触する、請求項１に記載の超電導磁石装置。
【請求項３】
或るヘリウム量を永久的に収容する少なくとも２つの気密コンテナを有し、
２つの前記気密コンテナのうち一方の気密コンテナが、少なくとも１つの動作状態において前記少なくとも１つのコイル巻線から熱エネルギーを受け取るために前記少なくとも１つのコイル巻線と熱伝導接触し、
２つの前記気密コンテナうち他方の気密コンテナが、少なくとも１つの動作状態において前記少なくとも１つの超電導部材から熱エネルギーを受け取るために、少なくとも１つの超電導部材と熱伝導接触する、請求項１に記載の超電導磁石装置。
【請求項４】
前記少なくとも１つの気密コンテナに収容される前記ヘリウム量が、２５ｋｇ／ｍ３乃至３５ｋｇ／ｍ３のレンジにある、請求項１乃至３のいずれか１項に記載の超電導磁石装置。
【請求項５】
複数の気密コンテナを有し、前記複数の気密コンテナの各気密コンテナが、個別のヘリウム量を収容し、
前記気密コンテナは、前記少なくとも１つのコイル巻線、及び前記少なくとも１つのコイル巻線とは別個の少なくとも１つの超電導部材、のうちの少なくとも１つと熱伝導接触する、請求項１乃至４のいずれか１項に記載の超電導磁石装置。
【請求項６】
前記少なくとも１つの気密コンテナ又は前記複数の気密コンテナの気密コンテナが軽量金属から実質的に作られている、請求項１乃至５のいずれか１項に記載の超電導磁石装置。
【請求項７】
前記複数の気密コンテナは、固体マトリクスと共に保持される、請求項１乃至６のいずれか１項に記載の超電導磁石装置。
【請求項８】
前記極低温冷却装置の少なくとも１つのコールドヘッドが、４Ｋの公称動作温度を有する、請求項１乃至７のいずれか１項に記載の超電導磁石装置。
【請求項９】
前記超電導ワイヤの少なくとも１つのコイル巻線が、前記少なくとも１つのコイル巻線を臨界温度より低い温度にし、その温度に維持するように構成される極低温冷却装置のコールドヘッドと熱伝導接触する、請求項１乃至８のいずれか１項に記載の超電導磁石装置。
【請求項１０】
磁気共鳴イメージングシステムの主磁石として使用される、請求項１乃至９のいずれか１項に記載の超電導磁石装置であって、前記磁気共鳴イメージングシステムの検査空間に静磁界を生成するよう構成される、超電導磁石装置。
【請求項１１】
関心のある被検体の少なくとも一部から磁気共鳴画像を取得するよう構成される磁気共鳴イメージングシステムであって、請求項１乃至９のいずれか１項に記載の超電導磁石装置を有する磁気共鳴イメージングシステム。
【手続補正書】
【提出日】平成30年4月6日(2018.4.6)
【手続補正１】
【補正対象書類名】特許請求の範囲
【補正対象項目名】全文
【補正方法】変更
【補正の内容】
【特許請求の範囲】
【請求項１】
対物レンズチューブ（１６）および前記対物レンズチューブ（１６）内に保持された少なくとも１つの光学素子（１８）を備える内視鏡（２）の光学アセンブリ（１２）であって、
前記対物レンズチューブ（１６）は、前記光学素子（１８）のための締付けマウントとして機能する少なくとも１つの領域（２６ａ、２６ｂ、２６ｃ）を備え、
締付けマウントとして機能する前記対物レンズチューブ（１６）の当該領域（２６ａ、２６ｂ、２６ｃ）は、少なくとも区分的に形状記憶材料から製造されていることを特徴とする光学アセンブリ。
【請求項２】
請求項１に記載の光学アセンブリ（１２）であって、
締付けマウントとして機能する前記対物レンズチューブ（１６）の前記領域（２６ａ、２６ｂ、２６ｃ）は、前記対物レンズチューブ（１６）の周りに沿って前記光学素子（１８）を完全に囲むことを特徴とする光学アセンブリ。
【請求項３】
請求項２に記載の光学アセンブリ（１２）であって、
前記領域（２６ａ、２６ｂ、２６ｃ）は、完全に形状記憶材料から作られていることを特徴とする光学アセンブリ。
【請求項４】
請求項１〜請求項３のいずれか一項に記載の光学アセンブリ（１２）であって、
少なくとも１つの第１光学素子（１８、２０ａ）および１つの第２光学素子（１８、２０ｂ）が利用可能であり、
前記第１光学素子（１８、２０ａ）は、前記第１光学素子（１８、２０ａ）のための締付けマウントとして機能する前記対物レンズチューブ（１６）の第１領域（２６ａ）内に保持され、前記第２光学素子（１８、２０ｂ）は、前記第２光学素子（１８、２０ｂ）のための締付けマウントとして機能する前記対物レンズチューブ（１６）の第２領域（２０ｂ）内に保持され、
前記対物レンズチューブ（１６）は、前記第１領域（２６ａ）と前記第２領域（２６ｂ）との間に変形可能な遷移領域（２８ａ、２８ｂ）を備えることを特徴とする光学アセンブリ。
【請求項５】
請求項４に記載の光学アセンブリ（１２）であって、
前記第１領域（２６ａ）が、第１断面を有し、それと異なる第２断面を前記第２領域（２６ｂ）が有し、
前記変形可能な遷移領域（２８ａ、２８ｂ）が、前記第１断面から前記第２断面までの遷移を形成することを特徴とする光学アセンブリ。
【請求項６】
請求項５に記載の光学アセンブリ（１２）であって、
前記第１断面が、第１の直径を有し、前記第２断面が、前記第１の直径とは異なる第２の直径を有し、
前記変形可能な遷移領域（２８ａ、２８ｂ）が、前記第１および第２領域（２６ａ、２６ｂ）間で前記第１の直径から前記第２の直径までの遷移を形成することを特徴とする光学アセンブリ。
【請求項７】
請求項１から請求項６のいずれか１項に記載の光学アセンブリ（１２）であって、
前記締付けマウントとして機能する前記対物レンズチューブ（１６）の少なくとも１つの領域（２６ａ、２６ｂ、２６ｃ）は、前記対物レンズチューブ（１６）の前記断面で見た場合に多角形である、仕立てられた形状を有することを特徴とする光学アセンブリ。
【請求項８】
請求項７記載の光学アセンブリ（１２）であって、
前記対物レンズチューブ（１６）の変形形状は、少なくとも締付けマウントとして機能する前記領域（２６ａ、２６ｂ、２６ｃ）では、円形であることを特徴とする光学アセンブリ。
【請求項９】
請求項１から請求項８のいずれか１項に記載の光学アセンブリ（１２）であって、
前記形状記憶材料が、形状記憶合金および／または形状記憶ポリマーであることを特徴とする光学アセンブリ。
【請求項１０】
内視鏡対物レンズ（６）またはリレーレンズとして、請求項１から請求項９のいずれか１項に記載の光学アセンブリ（１２）を備える内視鏡（２）。
【請求項１１】
請求項１０記載の内視鏡（２）であって、
前記光学素子（１８）がレンズであることを特徴とする内視鏡（２）。
【請求項１２】
請求項１から請求項９のいずれか１項に記載の光学アセンブリ（１２）を生産する方法であって、
前記光学素子（１８）のための締付けマウントとして機能する領域（２６ａ、２６ｂ、２６ｃ）を少なくとも備え、少なくとも区分的に形状記憶材料から製造されている対物レンズチューブ（１６）を用意する工程と、
締付けマウントとして機能する対物レンズチューブ（１６）の領域（２６ａ、２６ｂ、２６ｃ）内に少なくとも１つの光学素子（１８）を挿入する工程と、
前記締付けマウントとして機能する前記対物レンズチューブ（１６）の前記少なくとも１つの領域（２６ａ、２６ｂ、２６ｃ）を、前記使用される形状記憶材料の記憶温度より高い温度に加熱する工程と、により特徴付けられる方法。
【請求項１３】
請求項１から請求項９のいずれか１項に記載の光学アセンブリ（１２）の対物レンズチューブ（１６）を製造するための形状記憶材料の使用。
【手続補正書】
【提出日】平成30年11月16日(2018.11.16)
【手続補正１】
【補正対象書類名】特許請求の範囲
【補正対象項目名】全文
【補正方法】変更
【補正の内容】
【特許請求の範囲】
【請求項１】
陰圧治療を創傷に施すための装置であって、
創傷被覆材と流体的に連通するように構成されている陰圧源（１５０，２３０）を備えるハウジングであって、前記陰圧源は少なくとも１つの弁を備える、ハウジングと、
前記創傷被覆材と前記陰圧源とを流体的に接続するように構成されている流体流路内の圧力を測定するように構成されている圧力センサー（３５０）と、
駆動信号を使用して前記陰圧源を操作するように構成されているコントローラ（３６０）であって、前記コントローラは、
前記圧力センサーによって測定された圧力測定値のサンプルに基づき圧力測定値を決定し、前記決定は、前記少なくとも１つの弁の開動作および／または閉動作ならびに前記陰圧源の動作と同期して実行され、
少なくとも前記決定された圧力に基づき前記駆動信号を生成するようにさらに構成されているコントローラとを備える装置。
【請求項２】
前記圧力センサーによって測定される圧力は、前記少なくとも１つの弁の前記開動作および／または閉動作によって生じる圧力過渡現象による１つ以上の成分を含み、前記成分の１つ以上は、前記圧力測定値の前記決定から実質的に除外される請求項１に記載の装置。
【請求項３】
前記圧力過渡現象は、前記少なくとも１つの弁によって定期的に引き起こされる請求項２に記載の装置。
【請求項４】
前記コントローラは、前記少なくとも１つの弁が開きおよび／または閉じる頻度を超える頻度で前記測定値をサンプリングすることによって前記少なくとも１つの弁の前記開動作および／または閉動作と同期して前記圧力測定値を決定するように構成される請求項１に記載の装置。
【請求項５】
前記サンプル頻度は、前記少なくとも１つの弁が開き、および／または閉じる前記頻度に比例する請求項４に記載の装置。
【請求項６】
前記コントローラは、前記少なくとも１つの弁が第１の位置にあるときに取得される前記測定値のうちの１つ以上に基づき且つ前記少なくとも１つの弁が第２の位置にあるときに取得される前記測定値のうちの１つ以上に基づかずに、前記陰圧源の動作と同期して前記圧力測定値を決定する、ように構成される請求項１に記載の装置。
【請求項７】
前記陰圧源は、モーターを有する真空ポンプを備え、前記コントローラは、少なくとも前記モーターの速度に基づき前記陰圧源の前記動作と同期して前記圧力測定値を決定するように構成される請求項１に記載の装置。
【請求項８】
前記モーターの前記速度を測定し、前記モーターの前記測定された速度を示す信号を生成するように構成されているタコメータをさらに備え、前記コントローラは、前記タコメータから受信された前記信号に基づき前記陰圧源の前記動作と同期して前記圧力測定値を決定するように構成される請求項７に記載の装置。
【請求項９】
前記コントローラは、前記速度信号の立ち上がりエッジに応答して、および前記速度信号の立ち下がりエッジに応答して前記陰圧源の前記動作と同期して前記圧力測定値を決定するように構成される請求項８に記載の装置。
【請求項１０】
前記コントローラは、前記陰圧源から受信された信号に基づき前記陰圧源の前記動作と同期して前記圧力測定値を決定するように構成される請求項１に記載の装置。
【請求項１１】
前記少なくとも１つの弁は、入口弁と出口弁とを備える請求項１に記載の装置。
【請求項１２】
前記コントローラは、前記圧力センサーから取得された複数の測定値にローパスフィルタを適用することによって前記陰圧源の前記動作と同期して前記圧力測定値を決定するように構成される請求項１に記載の装置。
【請求項１３】
前記コントローラは、前記陰圧源の活動が活動閾値よりも低くなったと決定したことに応答して前記陰圧源の前記動作と非同期に前記圧力測定値を決定するようにさらに構成される請求項１に記載の装置。
【請求項１４】
前記コントローラは、パルス幅変調（ＰＷＭ）を使用して前記陰圧源を制御し、少なくとも圧力設定点と前記決定された圧力との間の差に基づき比例積分微分（ＰＩＤ）演算を使用して前記駆動信号を生成するように構成される請求項１に記載の装置。
【請求項１５】
前記コントローラは、前記決定された圧力が第１の閾値を超えたと決定したことに応答して０％デューティサイクルを有する前記駆動信号を生成するように構成され、
または、前記コントローラは、前記ＰＩＤ演算の比例項が第１の閾値を超えたと決定したことに応答して１００％デューティサイクルを有する前記駆動信号を生成するように構成され、
または、前記コントローラは、前記ＰＩＤ演算の比例項と前記ＰＩＤ演算の積分項との和が第１の閾値を超えたと決定したことに応答して１００％デューティサイクルを有する前記駆動信号を生成するように構成され、
または、前記コントローラは、累積誤差が０未満であると決定したことに応答して前記ＰＩＤ演算の積分項を０に、前記ＰＩＤ演算の前記累積誤差を０に設定するように構成され、
または、前記コントローラは、前記ＰＩＤ演算の累積誤差を、前記差が負であると決定したことに応答して前記累積誤差と前記差との和よりも大きくなるように設定するように構成される請求項１４に記載の装置。
【手続補正書】
【提出日】平成30年11月12日(2018.11.12)
【手続補正１】
【補正対象書類名】特許請求の範囲
【補正対象項目名】全文
【補正方法】変更
【補正の内容】
【特許請求の範囲】
【請求項１】
光軸（４）を有する対物レンズ（３）と、レンズハウジング（２０）とを含む光学センサアッセンブリと、
上記光学センサアッセンブリの下方に位置して測定すべき対象物（５）を載置するためのステージ（６）と、
上記光学センサアッセンブリに対して回動可能に連結された展開機構（１０）と、
を備え、
上記ステージと上記光学センサアッセンブリは、ｘ、ｙ、ｚ軸の各軸に沿って互いに相対移動可能であり、
上記展開機構が、二次測定補助具（１４，３５，４１）を、上記光学センサアッセンブリに対して、展開位置と後退位置との間で弧状の経路に沿って回動させ、上記展開機構（１０）の回動軸（１２）が略水平で上記対物レンズ（３）より下方ではなく、
上記二次測定補助具（１４，３５，４１）が上記展開位置にあるとき、上記光軸（４）と位置合わせされており、上記二次測定補助具が上記後退位置にあるとき上記ｚ軸方向における上記レンズハウジングの最下部より下方ではなく、
上記ステージ（６）は上記ｘ軸と上記ｙ軸に沿って移動可能であり、
上記二次測定補助具は上記後退位置にあるとき、測定されるべき上記対象物（５）に対する上記光学センサアッセンブリの上記ｘ、ｙ、ｚ軸の各軸に沿う相対移動を、妨げないことを特徴とする光学測定システム。
【請求項２】
光軸（４）を有する対物レンズ（３）と、レンズハウジング（２０）とを含む光学センサアッセンブリと、
上記光学センサアッセンブリの下方に位置して測定すべき対象物（５）を載置するためのステージ（６）と、
上記光学センサアッセンブリに対して回動可能に連結され、二次測定補助具を上記光学センサアッセンブリに対して展開位置と後退位置との間で回動させる展開機構（１０）と、
を備え、
上記ステージ（６）と上記光学センサアッセンブリは、x軸、y軸及びz軸の各々に沿って互いに相対移動可能であり、
上記展開機構（１０）は取付マウント（２３）を含み、この取付マウントには、少なくとも２つの異なる二次測定補助具（１４，３５，４１）を交換可能に取り付けることができ、
上記二次測定補助具（１４，３５，４１）は、上記展開位置にあるとき、上記光軸（４）に位置合わせされ、
上記二次測定補助具（１４，３５，４１）は、上記後退位置にあるとき、上記光学センサアッセンブリの上記測定すべき対象物（５）に対する上記x、y、z軸の各々に沿う相対的移動を、妨げないことを特徴とする光学測定システム。
【請求項３】
光軸（４）を有する対物レンズ（３）と、レンズハウジング（２０）とを含む光学センサアッセンブリと、
上記光学センサアッセンブリの下方に位置して測定すべき対象物（５）を載置するためのステージ（６）と、
上記光学センサアッセンブリに対して回動可能に連結され、タッチセンサ（１４）を展開位置と後退位置との間で移動させる展開機構（１０）と、
を備え、
上記ステージ（６）と上記光学センサアッセンブリはｘ、ｙ、ｚの各軸に沿って互いに相対移動可能であり、
上記タッチセンサ（１４）は、上記展開位置にあるとき、上記光軸に位置合わせされ、
上記タッチセンサ（１４）は、上記後退位置にあるとき、上記ｚ軸方向における上記レンズハウジング（２０）の最下部（２１）よりも低くなく、かつ測定されるべき上記対象物（５）に対する上記光学センサアッセンブリの上記ｘ、ｙ、ｚ軸の各軸に沿う相対移動を、妨げないことを特徴とする光学測定システム。
【請求項４】
光軸（３）を有する対物レンズ（４）と、レンズハウジング（２０）とを含む光学センサアッセンブリと、
上記光学センサアッセンブリの下方に位置して測定すべき対象物（５）を載置するためのステージ（６）と、
上記光学センサアッセンブリに対して回動可能に連結され、二次測定補助具（４１）を展開位置と後退位置との間で回動させる展開機構と、
を備え、
上記ステージ（６）と上記光学センサアッセンブリはｘ、ｙ、ｚの各軸に沿って互いに相対移動可能であり、
上記二次測定補助具（４１）は、回転テーブル（４０）に設置され、
上記展開位置にあるとき、上記回転テーブル（４０）の回転軸は上記光軸（４）と一致し、
上記後退位置にあるとき、上記二次測定補助具（４１）は、測定されるべき対象物（５）に対する上記光学センサアッセンブリの上記ｘ、ｙ、ｚ軸の各軸に沿う相対的移動を妨げないことを特徴とする光学測定システム。
【請求項５】
上記光学センサアッセンブリが、カメラ，ビデオカメラ（２）または走査センサを含む、請求項１〜３のいずれかに記載の光学測定システム。
【請求項６】
上記展開機構（１０）の回動軸（１２）がほぼ水平である、請求項２または３に記載の光学測定システム。
【請求項７】
上記ステージは、上記x軸及びy軸に沿って移動可能であり、上記光学センサアッセンブリは、上記z軸に沿って移動可能である、請求項１〜６のいずれかに記載の光学測定システム。
【請求項８】
上記二次測定補助具が、タッチセンサ（１４）、ミラー（３５）、または対物レンズ（３）の倍率を変えるための二次レンズを含む、請求項１または２に記載の光学測定システム。
【請求項９】
上記二次測定治具がタッチセンサ（１４）を含み、上記タッチセンサ（１４）が上記展開位置にあるとき、その長手方向軸が上記光軸（４）と一致し、上記タッチセンサ（１４）が上記後退位置にあるとき、その長手方向軸はほぼ水平である、請求項１〜３のいずれかに記載の光学測定システム。 
【請求項１０】
上記二次測定治具がミラー（３５）を含み、上記ミラーが上記展開位置にあるとき、上記ミラーは調節可能に傾くことができる、請求項１または２に記載の光学測定システム。
【請求項１１】
上記展開機構（１０）はピボットアーム（１１）を備え、このピボットアームは一端にピボット接続部を有し、他端に上記取付マウント（２３）を有する、請求項１〜３のいずれかに記載の光学測定システム。
【請求項１２】
上記ピボットアーム（１１）のすべての移動自由度が、上記後退位置と上記展開位置との間の弧状の経路に沿った移動を除いて除去され、
さらに、上記ピボットアーム（１１）を正確に上記展開位置に到達させるための経路終端ストップを備え、この経路終端ストップが上記ピボットアーム（１１）の移動の最後の自由度を除去する、請求項１１に記載の光学測定システム。
【請求項１３】
上記ピボットアーム（１１）が、アクチュエータ（３０）によって上記展開位置と上記後退位置との間で移動可能である、請求項１１に記載の光学測定システム。
【請求項１４】
上記アクチュエータ（３０）がエアシリンダ（３２）を含む、請求項１３に記載の光学測定システム。
【請求項１５】
上記二次測定補助具（４１）は、上記取付マウント（２３）に取り付けられた回転テーブル（４０）に設置される、請求項１１に記載の光学測定システム。
【手続補正書】
【提出日】平成30年11月2日(2018.11.2)
【手続補正１】
【補正対象書類名】特許請求の範囲
【補正対象項目名】全文
【補正方法】変更
【補正の内容】
【特許請求の範囲】
【請求項１】
複数の文書を盛り込んだ画像から文書画像を抽出するための方法であって、
複数の文書画像を含む複数文書画像を受信するステップを含み、各文書画像は文書に関連付けられ、前記方法はさらに、
前記複数文書画像から複数の視覚的識別子を抽出するステップを含み、各視覚的識別子は、前記複数の文書画像のうちの１つに関連付けられ、前記方法はさらに、
各文書画像を識別するために前記複数の視覚的識別子を分析するステップと、
前記分析に基づいて各文書画像の画像エリアを判断するステップと、
各文書画像をその画像エリアに基づいて抽出するステップとを含む、方法。
【請求項２】
前記複数の視覚的識別子を分析するステップは、各視覚的識別子に関連付けられたメタデータを識別するために、少なくとも１つの機械撮像プロセスを実行するステップをさらに含む、請求項１に記載の方法。
【請求項３】
各画像エリアを判断するステップは、各文書画像について、前記分析に基づいて境界を識別するステップをさらに含み、前記境界は前記文書画像のすべての視覚的識別子を含み、前記文書の前記画像エリアは前記境界によって規定される、請求項１に記載の方法。
【請求項４】
各境界は、複数文書画像のうちテキストが見当たらない部分に基づいて識別される、請求項３に記載の方法。
【請求項５】
複数のファイルを作成するステップをさらに含み、各ファイルは、抽出された前記文書画像のうちの１つを含む、請求項１に記載の方法。
【請求項６】
各文書画像を抽出するステップは、前記文書画像をカットするステップ、前記文書画像をコピーするステップ、および前記文書画像をトリミングするステップのうちの少なくとも１つをさらに含む、請求項１に記載の方法。
【請求項７】
各文書画像は視覚的識別子しきい値に基づいて識別され、前記視覚的識別子しきい値は、多数の視覚的識別子、ある特定の視覚的識別子、および視覚的識別子の組合せのうちのいずれかである、請求項１に記載の方法。
【請求項８】
各文書画像について、必要な視覚的識別子がまだ抽出されていないかどうかを判断するステップと、
少なくとも１つの必要な視覚的識別子がまだ抽出されていないと判断すると、前記少なくとも１つの必要な視覚的識別子を検索するステップとをさらに含む、請求項７に記載の方法。
【請求項９】
各文書画像について、潜在的な付加価値税（ＶＡＴ）払い戻しに関する資格を、前記視覚的識別子に基づいて判断するステップをさらに含む、請求項８に記載の方法。
【請求項１０】
請求項１に記載の方法を１つ以上の処理ユニットに実行させるための命令を格納した、コンピュータ読取可能媒体。
【請求項１１】
複数の文書を盛り込んだ画像から文書画像を抽出するためのシステムであって、
処理システムと、
メモリとを含み、
前記メモリは命令を含み、前記命令は、処理システムによって実行されると、前記システムを、
複数の文書画像を含む複数文書画像を受信するように構成し、各文書画像は文書に関連付けられ、さらに、
前記複数文書画像から複数の視覚的識別子を抽出するように構成し、各視覚的識別子は前記複数の文書画像のうちの１つに関連付けられ、さらに、
各文書画像を識別するために前記複数の視覚的識別子を分析し、
前記分析に基づいて各文書画像の画像エリアを判断し、
各文書画像をその画像エリアに基づいて抽出するように構成する、システム。
【請求項１２】
前記システムはさらに、各視覚的識別子に関連付けられたメタデータを識別するために、少なくとも１つの機械撮像プロセスを実行するように構成される、請求項１１に記載のシステム。
【請求項１３】
前記システムはさらに、各文書画像について、前記分析に基づいて境界を識別するように構成され、前記境界は前記文書画像のすべての視覚的識別子を含み、前記文書の前記画像エリアは前記境界によって規定される、請求項１１に記載のシステム。
【請求項１４】
各境界は、複数文書画像のうちテキストが見当たらない部分に基づいて識別される、請求項１３に記載のシステム。
【請求項１５】
前記システムはさらに、複数のファイルを作成するように構成され、各ファイルは、抽出された前記文書画像のうちの１つを含む、請求項１１に記載のシステム。
【請求項１６】
前記システムはさらに、前記文書画像をカットすること、前記文書画像をコピーすること、および前記文書画像をトリミングすることのうちの少なくとも１つを行なうように構成される、請求項１１に記載のシステム。
【請求項１７】
各文書画像は視覚的識別子しきい値に基づいて識別され、前記視覚的識別子しきい値は、多数の視覚的識別子、ある特定の視覚的識別子、および視覚的識別子の組合せのうちのいずれかである、請求項１１に記載のシステム。
【請求項１８】
前記システムはさらに、
各文書画像について、必要な視覚的識別子がまだ抽出されていないかどうかを判断し、
少なくとも１つの必要な視覚的識別子がまだ抽出されていないと判断すると、前記少なくとも１つの必要な視覚的識別子を検索するように構成される、請求項１７に記載のシステム。
【請求項１９】
前記システムはさらに、各文書画像について、潜在的な付加価値税（ＶＡＴ）払い戻しに関する資格を、前記視覚的識別子に基づいて判断するように構成される、請求項１８に記載のシステム。
【手続補正２】
【補正対象書類名】図面
【補正対象項目名】図１
【補正方法】変更
【補正の内容】
【図１】
2018506087.tif 000001
【手続補正３】
【補正対象書類名】図面
【補正対象項目名】図４Ｂ
【補正方法】変更
【補正の内容】
【図４Ｂ】
2018506087.tif 000002
【手続補正４】
【補正対象書類名】図面
【補正対象項目名】図４Ｃ
【補正方法】変更
【補正の内容】
【図４Ｃ】
2018506087.tif 000003
【手続補正５】
【補正対象書類名】図面
【補正対象項目名】図４Ｅ
【補正方法】変更
【補正の内容】
【図４Ｅ】
2018506087.tif 000004
【誤訳訂正書】
【提出日】平成30年4月6日(2018.4.6)
【誤訳訂正１】
【訂正対象書類名】明細書
【訂正対象項目名】００２８
【訂正方法】変更
【訂正の内容】
【００２８】
図2は、一態様による登録プロセスを示すNFCインフラストラクチャ100のハイレベルブロック図を示す。図示の例では、ユーザがNFCカード102(たとえば、NFCカードA)にプロバイダを登録する。ユーザのNFCカード102に登録された各プロバイダは、NFCカード102がプロバイダとプロバイダのレベルのセキュアデータ110アクセスとの間で区別することができるように、一意のプロバイダ識別番号(PID)により識別される。登録中、プロバイダに関連するサーバ106aが、そのPIDをNFCカード102に提供し得る。サーバ106aはまた、いくつかの場合には、追加データ(たとえば、データ1)を提供し得る。これは、WCD104にPID+データ1を送信し202、次にWCD104がNFCプロトコルを通じてNFCカード102にPID+データ1を送信する204ことによって達成され得る。WCD104がユーザに所属または関連する場合、サーバ106aからPID+データ1を受信する202ことと、ユーザのNFCカード102にPID+データ1を送信する204こととをWCD104に行わせるために、WCD104上に存在するアプリケーション206がユーザによって利用され得る。別の場合には、ユーザのNFCカード102がPID+データ1を受信する204ように、プロバイダのところに位置し、プロバイダに関連するWCD104にユーザが接近することがある。
【誤訳訂正２】
【訂正対象書類名】明細書
【訂正対象項目名】００３２
【訂正方法】変更
【訂正の内容】
【００３２】
図3は、一態様による確認プロセスを示すNFCインフラストラクチャ100のハイレベルブロック図を示す。図示の例では、NFCカード102上のデータ110が、以前登録されたプロバイダに、プロバイダおよび/またはユーザのNFCカード102の真正性を随意に確認した後に提供される。確認プロセス中、プロバイダに関連するサーバ106aが、そのPIDを何らかのデータ(たとえば、データ2)に加えて、NFCカード102に提供し得る。これは、WCD104にPID+データ2を送信し302、次にWCD104がNFCプロトコルを通じてNFCカード102にPID+データ2を送信する304ことによって達成され得る。WCD104がユーザに所属または関連する場合、サーバ106aからPID+データ2を受信する302ことと、ユーザのNFCカード102にPID+データ2を送信する304こととをWCD104に行わせるために、WCD104上に存在するアプリケーション206がユーザによって利用され得る。別の場合には、ユーザのNFCカード102がPID+データ2を受信する304ように、プロバイダのところに位置し、プロバイダに関連するWCD104にユーザが接近することがある。
【手続補正書】
【提出日】平成30年9月7日(2018.9.7)
【手続補正１】
【補正対象書類名】特許請求の範囲
【補正対象項目名】全文
【補正方法】変更
【補正の内容】
【特許請求の範囲】
【請求項１】
患者監視システムであって、
表示デバイスと、
患者監視方法を実行するようにプログラムされた電子データ処理コンポーネントとを有し、
前記方法が、各連続的な現在時間において、
１つ又は複数の入力された生理学的パラメータのそれぞれに関して最近受信された測定値に基づき、前記現在時間における患者状態値を決定するステップと、
前記現在時間と、前記１つ又は複数の入力された生理学的パラメータのそれぞれに関して最近受信された測定の受信時間との間の時間間隔に基づき、前記現在時間における患者状態値に関する信頼区間を推定するステップと、
患者状態情報を前記表示デバイスに表示するステップであって、前記表示された患者状態情報が、前記現在時間における前記患者状態値と、前記現在時間における前記患者状態値に関する推定された信頼区間とに基づかれる、ステップとを含む、患者監視システム。
【請求項２】
前記患者状態値が、早期警戒システムＥＷＳスコアであり、前記決定するステップは、複数の入力された生理学的パラメータの最近受信された測定値に基づき前記ＥＷＳスコアを計算するステップを有する、請求項１に記載の患者監視システム。
【請求項３】
前記表示するステップが、前記現在時間における前記患者状態値に関する前記推定された信頼区間とともに、前記現在時間における前記患者状態値を前記表示デバイスに表示するステップを有する、請求項１又は２に記載の患者監視システム。
【請求項４】
前記１つ又は複数の入力された生理学的パラメータが、複数の入力された生理的パラメータを有し、
前記推定するステップは、
前記現在時間と、前記入力された生理学的パラメータに対する最近受信された測定の受信時間との間の時間間隔に基づき、各入力された生理学的パラメータに関する前記現在時間における信頼区間を推定するステップと、
前記複数の入力された生理学的パラメータに関する前記現在時間における前記推定された信頼区間に基づき、前記現在時間における前記患者状態値に関する信頼区間を推定するステップとを有する、請求項１乃至３の任意の一項に記載の患者監視システム。
【請求項５】
前記各入力された生理学的パラメータに関する前記現在時間における信頼区間を推定するステップが、過去の患者データベースに格納された前記入力された生理学的パラメータに関する測定値の統計的分布に基づき前記信頼区間を推定するステップを有する、請求項４に記載の患者監視システム。
【請求項６】
前記各入力された生理学的パラメータに関する前記現在時間における信頼区間を推定するステップが、前記患者から収集されたデータに基づき信頼区間を推定するステップを有する、請求項４に記載の患者監視システム。
【請求項７】
前記患者監視方法が、
複数のパラメータのうち、前記患者状態値に関する前記推定された信頼区間に最も寄与する信頼区間を持つパラメータとして、最も古いパラメータを決定するステップと、
前記最も古いパラメータのインジケーションを表示デバイスに表示するステップとを更に有する、請求項４乃至６の任意の一項に記載の患者監視システム。
【請求項８】
前記患者監視方法が、前記現在時間における前記決定された患者状態値と、現前記在の時間における患者状態値に関する推定された信頼区間とに基づき、患者状態値が閾値を超える確率を推定するステップを更に有し、
患者状態情報を前記表示デバイスに表示するステップが、前記患者状態値が前記閾値を超える確率のインジケーションを表示するステップを有する、請求項１乃至７の任意の一項に記載の患者監視システム。
【請求項９】
１つ又は複数の入力された生理学的パラメータのそれぞれに関する最近受信された測定値に基づき、現在時間における患者状態値を決定するステップと、
前記現在時間と、前記１つ又は複数の入力された生理学的パラメータのそれぞれに関する最近受信された測定値の受信時間との間の時間間隔に基づき、前記現在時間における前記患者状態値の信頼区間を推定するステップと、
前記患者状態情報を表示デバイスに表示するステップとを有し、
前記表示された患者状態情報が、前記現在時間における前記患者状態値と、前記現在時間における前記患者状態値に関する推定された信頼区間とに基づかれる、方法。
【請求項１０】
前記１つ又は複数の入力された生理学的パラメータが、複数の入力された生理的パラメータを有し、
前記推定するステップは、
前記現在時間と、前記入力された生理学的パラメータに対する最近受信された測定の受信時間との間の時間間隔に基づき、各入力された生理学的パラメータに関する前記現在時間における信頼区間を推定するステップと、
前記複数の入力された生理学的パラメータに関する前記現在時間における前記推定された信頼区間に基づき、前記現在時間における前記患者状態値に関する信頼区間を推定するステップとを有する、請求項９に記載の方法。
【請求項１１】
複数のパラメータのうち、前記患者状態値に関する前記推定された信頼区間に最も寄与する信頼区間のパラメータとして、最も古いパラメータを決定するステップと、
前記最も古いパラメータのインジケーションを前記表示デバイスに表示するステップとを更に有する、請求項１０に記載の方法。
【請求項１２】
前記信頼区間が、（ｉ）前記患者状態値が存在し得る値の範囲と、（ｉｉ）前記患者状態値が前記値の範囲内にあり得る確率とを有する、請求項９に記載の方法。
【請求項１３】
前記患者状態値に関する信頼区間が、図形的に表示される、請求項９乃至１２のいずれかに記載の方法。
【請求項１４】
前記決定された患者状態値が所定の閾値に達する確率が表示される、請求項９に記載の方法。
【手続補正書】
【提出日】平成30年9月7日(2018.9.7)
【手続補正１】
【補正対象書類名】特許請求の範囲
【補正対象項目名】全文
【補正方法】変更
【補正の内容】
【特許請求の範囲】
【請求項１】
レシピ管理のための装置であって、
食品または飲料の調理に関する自然言語を含む少なくとも一つの通信を受信するように構成されたネットワークインターフェースと、
前記食品または飲料の調理に関する自然言語を含む、前記少なくとも一つの通信を該ネットワークインターフェースから受信し、
前記少なくとも一つの受信した通信から、少なくとも一つの調理指示を抽出し、
前記少なくとも一つの抽出された調理指示を独立して実行できる一つ以上の機器を識別及び推奨し、
前記一つ以上の機器が前記少なくとも一つの抽出された調理指示を独立して実行できると識別された場合、前記少なくとも一つの抽出された調理指示を、少なくとも一つの機械実行可能な命令に変換し、
そうでなければ、直接ユーザに前記少なくとも一つの抽出された調理指示を提供する
様に構成された少なくとも一つのプロセッサと、
保存のための持続性メモリと
を備える装置。
【請求項２】
前記少なくとも一つのプロセッサはさらに、該ネットワークインターフェースに前記少なくとも一つの機械実行可能な命令を含む、少なくとも一つの通信を送信するように構成されており、該ネットワークインターフェースはさらに、前記少なくとも一つの機械実行可能な命令を含む、前記少なくとも一つの通信を送信するように構成された、請求項１に記載の装置。
【請求項３】
前記少なくとも一つのプロセッサはさらに、少なくとも一つのカスタマイズ命令を受信し、前記少なくとも一つのカスタマイズ命令を該持続性メモリに格納するように構成された、請求項１に記載の装置。
【請求項４】
前記少なくとも一つのカスタマイズ命令は、一つ以上の食事要件と代替材料とである、請求項３に記載の装置。
【請求項５】
前記自然言語を含む少なくとも一つの通信は音声言語を含み、前記少なくとも一つのプロセッサはさらに、該音声言語をテキストに変換するように構成された、請求項１に記載の装置。
【請求項６】
前記少なくとも一つのプロセッサは、自然言語処理を使用して、音声言語を含む前記少なくとも一つの受信された通信から、少なくとも一つの調理指示を抽出するように構成された、請求項５に記載の装置。
【請求項７】
前記持続性メモリは、少なくとも一つの機器の機能を記述する情報を含み、前記少なくとも一つのプロセッサはさらに、前記少なくとも一つの抽出された調理指示に従って食品又は飲料を調理するための少なくとも一つの機器を識別するために、前記少なくとも一つの抽出された調理指示を、少なくとも一つの機器の該機能が記述された該情報に対して比較するように構成された、請求項１に記載の装置。
【請求項８】
前記少なくとも一つの抽出された調理指示に応じて、食品又は飲料の調理に関する少なくとも一つの指示を提供するためのユーザインターフェースをさらに備える、請求項１に記載の装置。
【請求項９】
食品または飲料の調理に関する該ユーザからのフィードバックを受信するためのユーザインターフェースをさらに備える、請求項１に記載の装置。
【請求項１０】
前記持続性メモリは食品又は飲料の調理を記述した調理情報を含み、前記プロセッサはさらに、前記少なくとも一つの抽出された調理指示の修正或いは適合を行うために該調理情報を使用するように構成された、請求項１に記載の装置。
【請求項１１】
レシピ管理のための方法であって、
ネットワークインターフェースを介して、食品又は飲料の調理に関する自然言語を含む少なくとも一つの電子通信を受信し、
少なくとも一つの構成されたプロセッサを利用し、前記少なくとも一つの受信された自然言語の通信から、少なくとも一つの調理指示を自動的に抽出し、
前記少なくとも一つの抽出された調理指示を独立して実行できる１つ以上の機器を識別及び推奨し、
前記一つ以上の機器が前記少なくとも一つの抽出された調理指示を独立して実行できると識別された場合、前記少なくとも一つの構成されたプロセッサを利用し、前記少なくとも一つの抽出された調理指示を少なくとも一つの機械実行可能な命令へ変換し、そして
そうでなければ、直接ユーザに前記少なくとも一つの抽出された調理指示を提供する
する事を含む、
方法。
【請求項１２】
さらに前記ネットワークインターフェースを使用し、前記少なくとも一つの機械実行可能な命令を送信する事を含む、請求項１１に記載の方法。
【請求項１３】
さらに少なくとも一つのカスタマイズ命令を受信し、前記少なくとも一つのカスタマイズ命令を持続性メモリに格納する事を含む、請求項１１に記載の方法。
【請求項１４】
前記少なくとも一つのカスタマイズ命令は、一つ以上の食事要件と代替材料とである、請求項１３に記載の方法。
【請求項１５】
自然言語を含む前記少なくとも一つの電子通信が音声言語を含み、さらに前記少なくとも一つの構成されたプロセッサを利用して該音声言語をテキストに変換する事を含む、請求項１１に記載の方法。
【請求項１６】
前記少なくとも一つの調理指示が、前記少なくとも一つの構成されたプロセッサを利用し、自然言語処理を使用して前記音声言語を含む少なくとも一つの受信された通信から抽出される、請求項１５に記載の方法。
【請求項１７】
さらに前記少なくとも一つの抽出された調理指示に従って、食品又は飲料を調理するための少なくとも一つの機器を識別するために、前記少なくとも一つの抽出された調理指示を、持続性メモリに格納された少なくとも一つの機器の該機能を記述した情報に対して比較する事を含む、請求項１１に記載の方法。
【請求項１８】
さらにユーザインターフェースを利用して、前記少なくとも一つの抽出された調理指示に応じて、前記食品又は飲料の調理に関する少なくとも一つの指示を提供する事を含む、請求項１１に記載の方法。
【請求項１９】
さらにユーザインターフェースを利用して、前記食品または飲料の調理に関する該ユーザからのフィードバックを受信する事を含む、請求項１１に記載の方法。
【請求項２０】
さらに前記少なくとも一つの抽出された調理指示の修正或いは適合を行うために、持続性メモリに格納された食品又は飲料の調理を記述した調理情報を利用する事を含む、請求項１１に記載の方法。
【手続補正書】
【提出日】平成30年8月31日(2018.8.31)
【手続補正１】
【補正対象書類名】特許請求の範囲
【補正対象項目名】全文
【補正方法】変更
【補正の内容】
【特許請求の範囲】
【請求項１】
光源のセットと、
カメラのセットと、
光源の前記セットに対して動作可能に結合されたプロセッサであって、
光源の前記セットのサブセットを作動させる工程であって、前記サブセットは前記セットよりも小さく、作動された光源の前記サブセットは第１のストロボ周波数でストロボされる、工程と、
第１の光源から発せられる光がユーザの眼に達していないと決定する決定工程であって、前記第１の光源は作動された光源の前記サブセットに含まれる、工程と、
前記決定に基づいて、前記第１の光源から発せられる光の量を減少させ、光源の前記セットの第２の光源を作動させる工程であって、前記第２の光源は作動された光源の前記サブセットに含まれておらず、前記第１の光源から発せられる前記光の量を減少させる工程は前記第１の光源を第２のストロボ周波数でストロボする工程を含み、前記第２のストロボ周波数は前記第１のストロボ周波数未満である、工程と、
前記カメラのうちの１つ以上によって捕捉された画像において前記第２のストロボ周波数を検出する工程と、
前記第２のストロボ周波数の検出に応答して、前記第１の光源を前記第１のストロボ周波数でストロボする工程と、を含む動作を実行するように構成されている、プロセッサと、を備えるシステム。
【請求項２】
前記第１の光源から発せられる前記光が前記ユーザの前記眼に達していないという前記決定は、前記第１の光源の近くの近接センサに基づく、請求項１に記載のシステム。
【請求項３】
前記決定工程は、
前記ユーザの前記眼の第１の画像を前記ユーザの前記眼の第２の画像と比較する工程と、
前記比較に基づいて、作動された光源の前記サブセットに含まれる前記第１の光源からの反射が前記第１の画像に存在し、かつ前記第２の画像に存在しないと決定する工程と、を含む、請求項１に記載のシステム。
【請求項４】
前記第１の光源から発せられる前記光の量を減少させる前記工程は、前記第１の光源を非作動にする工程をさらに含む、請求項１に記載のシステム。
【請求項５】
前記第１の光源から発せられる前記光の量を減少させる前記工程は、前記第１の光源の強度を減少させる工程をさらに含む、請求項１に記載のシステム。
【請求項６】
前記動作は、前記第２のストロボ周波数の検出に応答して、前記第２の光源から発せられる光の量を減少させる工程をさらに含む、請求項１に記載のシステム。
【請求項７】
前記動作は、
前記光源の各々の優先順位を計算する工程と、
作動された光源の前記サブセットに含まれない前記光源のうちの最も高い優先順位を有する光源を前記第２の光源として選択する工程と、をさらに含む、請求項１に記載のシステム。
【請求項８】
前記動作は、
光源の前記セットを収容するデバイスが回転されていると検出することに応答して、前記光源の各々の前記優先順位を更新する工程をさらに含む、請求項７に記載のシステム。
【請求項９】
方法であって、
光源のセットのサブセットを作動させる工程であって、前記サブセットは前記セットよりも小さく、作動された光源の前記サブセットは第１のストロボ周波数でストロボされる、工程と、
ユーザの眼の第１の画像を前記ユーザの前記眼の第２の画像と比較する工程と、
前記比較に基づいて、作動された光源の前記サブセットに含まれる第１の光源からの反射が前記第１の画像に存在し、かつ前記第２の画像に存在しないと決定する工程と、
前記決定に基づいて、マシンのプロセッサが、前記第１の光源から発せられる光の量を減少させ、光源の前記セットの第２の光源を作動させる工程であって、前記第２の光源は作動された光源の前記サブセットに含まれておらず、前記第１の光源から発せられる前記光の量を減少させる工程は前記第１の光源を第２のストロボ周波数でストロボする工程を含み、前記第２のストロボ周波数は前記第１のストロボ周波数未満である、工程と、
カメラのうちの１つ以上によって捕捉された画像において前記第２のストロボ周波数を検出する工程と、
前記第２のストロボ周波数の検出に応答して、前記第１の光源を前記第１のストロボ周波数でストロボする工程と、を備える方法。
【請求項１０】
前記第１の光源から発せられる前記光の量を減少させる前記工程は、前記第１の光源を非作動にする工程をさらに含む、請求項９に記載の方法。
【請求項１１】
前記第１の光源から発せられる前記光の量を減少させる前記工程は、前記第１の光源の強度を減少させる工程をさらに含む、請求項９に記載の方法。
【請求項１２】
前記第１の光源に基づいて前記第２の光源を識別する工程をさらに備える、請求項９に記載の方法。
【請求項１３】
前記第２のストロボ周波数の検出に応答して、前記第２の光源から発せられる光の量を減少させ、前記第１の光源を復帰させる工程と、をさらに備える、請求項９に記載の方法。
【請求項１４】
命令を記憶する非一時的な機械可読記憶媒体であって、前記命令は、１つまたは複数のプロセッサによって実行されるとき、前記１つまたは複数のプロセッサに
光源のセットのサブセットを作動させる工程であって、前記サブセットは前記セットよりも小さく、作動された光源の前記サブセットは第１のストロボ周波数でストロボされる、工程と、
作動された光源の前記サブセットに含まれる第１の光源からの光の反射がカメラに達していないと決定する決定工程と、
前記決定に基づいて、前記第１の光源から発せられる光の量を減少させ、光源の前記セットの第２の光源を作動させる工程であって、前記第２の光源は作動された光源の前記サブセットに含まれておらず、前記第１の光源から発せられる前記光の量を減少させる工程は前記第１の光源を第２のストロボ周波数でストロボする工程を含み、前記第２のストロボ周波数は前記第１のストロボ周波数未満である、工程と、
前記カメラによって捕捉された画像において前記第２のストロボ周波数を検出する工程と、
前記第２のストロボ周波数の検出に応答して、前記第１の光源を前記第１のストロボ周波数でストロボする工程と、
を含む動作を実行させる、媒体。
【請求項１５】
前記第１の光源から発せられる前記光の量を減少させる工程は、前記第１の光源を非作動にする工程を含む、請求項１４に記載の機械可読記憶媒体。
【請求項１６】
前記第１の光源からの光の反射が前記カメラに達していないと決定する工程は、
ユーザの眼の第１の画像を前記ユーザの前記眼の第２の画像と比較する工程と、
前記比較に基づいて、作動された光源の前記サブセットに含まれる前記第１の光源からの反射が前記第１の画像に存在し、かつ前記第２の画像に存在しないと決定する工程と、を含む、請求項１４に記載の機械可読記憶媒体。
【請求項１７】
前記決定工程は、前記光源の近くの近接センサに基づく、請求項１４に記載の機械可読記憶媒体。
【請求項１８】
前記第１の光源からの前記光が前記カメラに達していないと決定する前記工程は、
前記カメラによって撮られた第１の画像を前記カメラによって撮られた第２の画像と比較する工程と、
前記比較に基づいて、ユーザの眼が前記第１の画像に存在し、かつ前記第２の画像に存在しないと決定する工程と、
を含む、請求項１４に記載の機械可読記憶媒体。